(57)【特許請求の範囲】
【請求項１】
リール脚部（１００）を載置する載置面（１７）を有し、筒状に形成された硬質のリールシート本体（１）と、該リールシート本体（１）に設けられ、リール脚部（１００）の一端を係止可能な固定フード（３）と、リールシート本体（１）の外周に配置され、固定フード（３）と所定間隔を隔て軸方向に移動可能で且つリール脚部（１００）の他端を係止可能な筒状の可動フード（４）と、リールシート本体（１）外周面の前記固定フード（３）と径方向で対向する所定領域を少なくとも被覆する軟質のグリップ部材（２）とを備え、釣竿の竿体に設けられリールを装着可能なリールシートにおいて、リールシート本体（１）の可動フード（４）が被る領域において、前記リールシート本体（１）の載置面（１７）と周方向で略直角を成す領域にグリップ部材（２）が延設され、且つリールシート本体（１）の載置面（１７）及び該載置面（１７）と径方向で対向する領域は、グリップ部材（２）が被覆されずリールシート本体（１）が露出していることを特徴とするリールシート。
【請求項２】
リールシート本体（１）及びグリップ部材（２）が当接する面には互いに嵌合する嵌合手段が設けられてなることを特徴とする請求項１記載のリールシート。
【請求項３】
前記嵌合手段は、リールシート本体（１）に突設された突出部（１３）と、グリップ部材（２）に設けられ前記突出部（１３）と嵌合する嵌合溝部（２１）とからなることを特徴とする請求項２記載のリールシート。
【請求項４】
突出部（１３）には嵌合孔（１４）が設けられていると共に、嵌合溝部（２２）には前記突出部（１３）の嵌合孔（１４）に嵌入する突起（２３）がさらに設けられてなることを特徴とする請求項３記載のリールシート。
【請求項５】
請求項１乃至４の何れかに記載のリールシートを備えていることを特徴とする釣竿。
【発明の詳細な説明】
【０００１】
【発明の属する技術分野】
釣竿の竿体にリールを装着するために釣竿に設けられるリールシート、特に手で把持する領域に軟質のグリップ部材を有するリールシート、及びこれを備えた釣竿に関する。
【０００２】
【従来の技術】
釣竿には、竿体外周面にリールを装着するためのリールシートが設けられているものがある。該リールシートの中で、ナット式と呼ばれるリールシートは、外周面にリール脚部を載置する載置面とリール脚部の一端を係止可能な固定フードと雄ネジ部とを有する筒状のリールシート本体と、前記雄ネジ部に螺合可能なナットと、ナットにより軸方向に移動しリール脚部の他端を係止可能な筒状の可動フードとを備えている。このようなリールシートでは、リール脚部の一端を固定フードに係止させた状態で、ナットを回転させて可動フードを固定フード側に接近させ、リール脚部の他端を固定フードで係止させる。そうすると、リール脚部が固定フードと可動フードに挟持された状態となり、リールが竿体に装着されるように構成されている。
【０００３】
さらに、リールシート本体の外周面には、例えば合成ゴム等からなる軟質のグリップ部材が接着剤などで貼着されており、リールシートを手で把持したときのホールド性を高めるようになっている。従来、リールシート本体外周面の可動フードが被る可能性がある領域は、手で触れることが少ないと考えられていたため、グリップ部材は設けられていない。
【０００４】
【発明が解決しようとする課題】
しかしながら、リールシートには、釣対象の魚の種類等によりさまざまな種類やサイズのリールが装着されることが多く、可動フードのリール脚部の係止位置もリールのサイズによって異なることが多い。その為、リールシート本体外周面の可動フードが被る可能性がある領域を手で把持することも往々にしてあるが、従来のリールシートでは、この領域にはグリップ部材が設けられていないため、ホールド性が悪かった。
【０００５】
また、以前より釣り人の間では大物の魚を容易に釣り上げたいという要望があり、その為、大物の魚に対抗できるように釣竿の更なるホールド性の向上が望まれている。
【０００６】
そこで、本発明はこのような問題を解決するためになされたもので、ホールド性の更なる向上が可能なリールシートを提供することを課題とする。
【０００７】
【課題を解決するための手段】
上記課題を解決するために、リール脚部１００を載置する載置面１７を有し、筒状に形成された硬質のリールシート本体１と、該リールシート本体１に設けられ、リール脚部１００の一端を係止可能な固定フード３と、リールシート本体１の外周に配置され、固定フード３と所定間隔を隔て軸方向に移動可能で且つリール脚部１００の他端を係止可能な筒状の可動フード４と、リールシート本体１外周面の前記固定フード３と径方向で対向する所定領域を少なくとも被覆する軟質のグリップ部材２とを備え、釣竿の竿体に設けられリールを装着可能なリールシートにおいて、可動フード４が被る領域まで、グリップ部材２が軸方向に延設されてなるように構成する。
【０００８】
かかる構成によれば、従来のリールシートに比して、グリップ部材２が大きい面積で設けられるようになるため、把持した際に手に当たるグリップ部材２をさらに多くすることができる。
【０００９】
また、前記グリップ部材２は、リールシート本体１の可動フード４が被る領域において、リールの載置面１７と周方向で略直角を成す領域に延設され、且つリールシート本体１の載置面１７及び該載置面１７と径方向で対向する領域は、グリップ部材２が被覆されずにリールシート本体１が露出している。
【００１０】
前記構成によれば、固定フード３及び可動フード４にリール脚部１００を係止させると、可動フード４は、リールによって径方向にリールの載置面１７側に引っ張られ、リール脚部１００の載置面１７に対して径方向で対向するリールシート本体１外周面の領域に可動フード４の内周面が当接する。この当接する領域は、硬質のリールシート本体１で構成されているため、可動フード４がリールシート本体１に支持されて安定する。
【００１１】
また、リールシート本体１及びグリップ部材２が当接する面に、互いに嵌合する嵌合手段を設けることにより、長期間使用していてもグリップ部材２がリールシート本体１より剥がれ難くなる。
【００１２】
前記嵌合手段は、リールシート本体１の外周面に突設された突出部１３と、グリップ部材２に設けられ前記突出部１３と嵌合する嵌合溝部２２とからなるように構成することが好ましい。
【００１３】
突出部１３には嵌合孔１４を設けると共に、嵌合溝部２２には前記突出部１３の嵌合孔１４に嵌入する突起２３をさらに設けてもよい。即ち、リールシート本体１の突起部１３に設けられた嵌合孔１４にグリップ部材２の突起２３を嵌入させることで、リールシート本体１とグリップ部材２の嵌合力がさらに増加する。
【００１４】
さらに、上記構成から成るリールシートが設けられた釣竿は、グリップ部材２が多く設けられているため、手で把持したときの耐滑性、ホールドが高く、使用感の良いものになるという利点を有する。
【００１５】
【発明の実施の形態】
以下、本発明の実施の形態の一例について図面を参照して説明する。本実施形態に係るリールシートは、図１及び図２の如く、一端部の外周面に雄ネジ部１０を有する筒状のリールシート本体１と、雄ネジ部１０より他端側でリールシート本体１の外周面を被覆するグリップ部材２と、リールシート本体１に設けられた固定フード３と、リールシート本体１の一端部に軸方向に移動可能に外装された可動フード４と、該可動フード４の軸方向外側端部に回転可能に連結されて前記雄ネジ部１０に螺合するナット５とを備えている。
【００１６】
固定フード３は、リールシート本体１と一体に成形されており、リール脚部１００の一端を係止可能な凹部３０を内部に有している。該凹部３０は、底部に向かって先細りにテーパする形状に設けられている。
【００１７】
可動フード４は、前記固定フード３より雄ネジ部１０側で、固定フード３と一定間隔を設けて配置されている。かかる可動フード４は、リール脚部１００の他端を係止可能な凹部４０を有する略筒状に形成され、該凹部４０と前記固定フードの凹部３０は軸方向で対向するように配置されている。凹部４０もまた前記凹部同様、底部に向かって先細りにテーパする形状に設けられている。
【００１８】
また、ナット５は前記可動フード４に相対回転可能に嵌合され、ナット５を回転させると、そのネジ送りによってナット５と可動フード４とは一体となって軸方向に移動し、これにより固定フード３と可動フード４の離間距離を調整することができる。
【００１９】
ここで、図４（イ）に示す如く、リールシート本体１の雄ネジ部１０には、軸方向に伸びた直線状の溝部１５が形成されており、該溝部１５に可動フード５に設けられた突部５０が係合することにより、該溝部１５をガイドとして可動フード５はリールシート本体１に対して軸方向に移動できるが回転不能となる。つまり、固定フード３の凹部３０と可動フード４の凹部４０が常に対向した状態に維持される。
【００２０】
図１に戻り、固定フード３の凹部３０から可動フード４の凹部４０にかけて、リールシート外周面にはリール脚部１００を載置する載置面１７が形成されており、リール脚部１００を載置面１７に当接させ、リール脚部１００の一端を前記固定フード３の凹部３０に挿入した状態でナット５を回転させることで可動フード４を固定フード３側に接近させてリール脚部１００の他端を可動フード４の凹部４０に挿入させる。そして、さらにナット５を締め込めばリール脚部１００が固定フード３と可動フード４に挟持され、リールを固定することができる。
【００２１】
グリップ部材２は、リールシート本体１の外周面で、前記固定フード３と径方向で対向する領域に設けられている。かかるグリップ部材２は、把持した際に手にフィットし且つ滑らないように、例えばスチレンゴム、ウレタンゴム等の合成ゴムが用いられ、接着剤などによりリールシート本体１の当接面１２に貼着される。
【００２２】
また、グリップ部材２は、グリップ本体２０と、グリップ本体２０より延設された延設部２１とから構成されている。
【００２３】
グリップ本体２０は、リールシート本体１外周面の可動フード４が被らない領域に設けられている。即ち、リールシートの軸方向で、移動フード側を先端側、固定フード３側を後端側とすると、可動フード４が最も後端側に位置した（最も固定フード３接近した）状態のとき、グリップ本体２０が、該可動フード４よりも後端側の領域を覆うように設けられている。好ましくは、可動フード４が最も後端側に位置した状態のとき、グリップ本体２０の先端側の端部が、軸方向に可動フード４の後端側の端縁部まで伸びるように設ける。かかるグリップ本体２０は、略半円筒状に形成され、リールシート本体１の上側半分、即ち、固定フード３と径方向で対向する領域で、リールシート外周面の略半周面を覆うように設けられている。尚、グリップ本体２０の形状は、本実施形態に限定されず、周方向に固定フード３側まで伸びていてもかまわないが、リールの脚部１００の載置面１７は被覆しないことが好ましい。また、グリップ本体２０の表面、即ち、リールシートを手で把持した際に手に当たる面は、所定領域が若干盛り上がるように湾曲している。詳しくは、リールシートの軸方向において、前記固定フード３が設けられた領域近傍の径が最も太くなるように、グリップ本体２０の表面が、この領域近傍でなだらかに盛り上がった形状に形成されている。
【００２４】
さらに、グリップ本体２０の先端側端部には、軸方向先端側に向かって前記延設部２１が延設されている。延設部２１は、リールシートの両側面、即ち、リールの載置面１７と周方向で略直角を成す領域を被覆するように設けられ、軸方向に前記雄ネジ部１０の後端側終縁部１８まで延設されている。即ち、上述の如く、可動フード４が最も後端側に位置した状態のとき、該延設部２１は、可動フード４が被るようになっている。
【００２５】
また、リールシート外周面において、リール脚部１００の載置面１７と周方向で対向する領域であって、リールシート本体１の雄ネジ部１０と、グリップ本体２０と、延設部２１に囲まれた領域には、前記硬質領域１１が設けられている。詳しくは、可動フード４が最も固定フード３に接近した状態のとき、リールシート本体１外周面の可動フード４に覆われる領域のうち、前記リールの載置面１７と周方向で対向する領域に、硬質領域１１が設けられている。かかる硬質領域１１は、グリップ部材２に被覆されていない、即ちリールシート本体１が剥き出しの状態になっている。かかる硬質領域１１は、図１及び図２に示す如く、その外形が軸方向後端側に向かって先細りの略放物線状に形成されている。
【００２６】
また、図５及び図６に示す如く、リールシート本体１外周面のグリップ部材２が被覆される領域には当接面１２が設けられている。該当接面１２はリールシート本体１外周面に凹設されている。詳しくは、当設面１２は、グリップ部材２が嵌り込むように、グリップ部材２と同形状に窪んだ形状に形成されている。そして、好ましくは、該当設面１２の深さと、前記グリップ部材２の外周縁の厚さを同一に形成することで、グリップ部材２を被覆した際にリールシート本体１の外周面とグリップ部材２の表面の境界に段差が生じないようにすることができる。
【００２７】
前記当設面１２には、突出部１３が突設されている。該突出部１３は、周方向に左右対称に設けられており、好ましくは、当接面１２の周方向の端縁部近傍に設けられる。かかる突出部１３は、径方向断面が略四角形をなしている。そして一方、前記グリップ部材２の裏面には、該突出部１３に対応する形状をなした嵌合溝部２２が凹設されている。即ち、嵌合溝部２２は、径方向断面が略四角形をなしており、グリップ部材２を当設面１２に被覆したとき、突出部１３と嵌合溝部２２が嵌合するように構成されている。
【００２８】
さらに、前記突出部１３には、リールシート本体１の中空部に向かって嵌合孔１４が凹設されている。尚、本実施形態において、該嵌合孔１４は、突出部１３に凹設されているが、リールシート本体１の中空部まで貫通する貫通孔であってもよい。
【００２９】
そして、前記グリップ部材２の嵌合溝部２２には、該嵌合孔１４に嵌入する円柱状の突起２３が設けられている。即ち、グリップ部材２を当設面１２に被覆したときに、前記突出部１３と嵌合溝部２２の嵌合に加え、嵌合孔１４と突起２３がさらに嵌合する状態となる。
【００３０】
また、前記突出部１３は、軸方向に伸びるように形成されており、好ましくは、軸線と平行に伸びるように形成される。かかる突出部１３は、当接面１２の軸方向後端側の端縁部から軸方向先端側に向けて伸び、先端側は前記硬質領域１１近傍まで伸びている。また、同様にグリップ部材２の嵌合溝部２２も前記突出部１３に対応して軸方向に伸びるように形成されている。そして、嵌合孔１４及び突起２３は、それぞれ突出部１３及び嵌合溝部２２に、所定間隔を有して複数個設けられることが好ましい。
【００３１】
本実施形態に係るリールシートは上述の如く構成され、該リールシートであれば、例えば、図１（イ）に示す如く、小型リール、即ち脚長（リール脚部の一端から他端の長さ）が短いリールを装着したときは、グリップ部材２の延設部２１が可動フード４に覆われた状態で可動フード４が保持される。次に、図１（ロ）に示す如く、脚長の長い大型リールを装着したときは、先程の図１（イ）の状態に比べて、可動フード４が固定フード３から離れ、可動フード４に覆われていた延設部２１が露出した状態となる。即ち、可動フード４が固定フード３から離れる（大型リールを装着する）ほど露出するグリップ部材２の面積が増加する。
【００３２】
従来のリールシートでは、可動フードが軸方向のどの位置にあった場合でも、グリップ部材が可動フードに覆われることはない、言い替えれば、従来のリールシートには延設部２１が設けられていない。その為、グリップ部材の露出面積は常に一定であった。
しかし、本実施形態に係るリールシートにあっては、脚長が長い、即ち、装着されるリールが大型であるほど、可動フード４が固定フード３から離れ、グリップ部材２の露出面積が増加する。大型リールを装着するのは、大物の魚を釣るときが多いが、この場合にグリップ部材２の露出面積が多くなることで、ホールド性が増し、大物の魚の釣り上げが容易となる。
【００３３】
また、ナット４を締め付けて、可動フード４及び固定フード３でリール脚部１００を挟持すると、可動フード４は、リールによって径方向にリール側に引っ張られ、可動フード４の内周面がリールシート本体１の雄ネジ部１０及び／または、硬質領域１１に押し当てられる。この際に本実施形態において、雄ネジ部１０及び硬質領域１１は硬質のリールシート本体１が露出しているため、可動フード４は該雄ネジ部１０及び硬質領域１１に支持され、その結果、可動フード４の径方向のがたつきを防止することができる。
【００３４】
また、従来のリールシートでは、グリップ部材は接着剤だけでリールシート本体に貼着されていたため、グリップ部材２が剥がれ易いという問題があったが、リールシート本体１の当接面１２及びグリップ部材２に、互いに嵌合する突出部１３と嵌合溝部２２を設けることで、突出部１３と嵌合溝部２２が嵌合するため、グリップ部材２が剥がれ難くなる。
【００３５】
突出部１３を当接面１２の周方向の端部近傍に左右対称に設けることにより、グリップ部材２の周方向の両端部が嵌合する構造になり、グリップ部材２が周方向の端部から剥がれることを防止できる。
【００３６】
さらに、突出部１３及び嵌合溝部２２に、それぞれ嵌合孔１４及び突起２３を設けることにより、突出部１３と嵌合溝部２２の嵌合に加えて、さらに嵌合孔１４と突起２３が嵌合するため、グリップ部材２の剥離を効果的に防止することができる。
【００３７】
そして、突出部１３及び嵌合溝部２２は、軸方向に伸びるように設けられているため、グリップ部材２がさらに剥がれ難くなる。
【００３８】
本実施形態に係るリールシートの釣竿への取付に関して言及すれば、リールシートが取付けられる釣竿の竿体は、リールシートが取付けられる位置の外径が、リールシート本体１の内径と略同一に設けられている。そして、竿体にリールシートを取付ける際は、竿体外周面のリールシート取付位置又は／及びリールシート本体１の内周面に接着剤を塗布した後に、リールシート本体１に竿体を嵌入する。その場合、図４に示す如く、軸方向で一端から他端まで伸びる複数の縦溝１６をリールシート本体１内周面に設けることで、竿体をリールシート本体１に嵌入する際の摩擦が少なくなり、容易に嵌入することができる。さらに、嵌入後は、接着剤が縦溝１６に入り込んで硬化するため、リールシートと竿体を強固に固定することができる。
【００３９】
尚、本発明に係るリールシートは、前記実施形態に限定されるものではなく、本発明の要旨を逸脱しない範囲にて種々の変更が可能である。例えば、固定フード３はリールシート本体１と一体に成形する必要はなく、別体に成形して、リールシート本体１の外周面に固定されてもよい。
【００４０】
リールシート本体１の当接面１２は必ずしも凹設される必要はない。即ち、グリップ部材２の周縁部を先細りのテーパ状に形成することで、リールシート本体１とグリップ部材２との境界に段差を生じなくすることができる。
【００４１】
前記実施形態において、突出部１３及び嵌合溝２１は軸方向に伸びているが、周方向に伸びていてもかまわない。但し、突出部１３及び嵌合溝２１を軸方向に伸ばせば、軸方向における嵌合力が強くなるため、グリップ部材軸方向に。また、当接面１２に嵌合溝２１を設けると共にグリップ部材２に突出部１３を設ける構成であっても良い。同様に嵌合孔１４及び突起２３を逆に設けても良い。即ち、リールシート本体１とグリップ部材２が嵌合可能な構造であれば、前記実施形態に限定されず、その他の構成であってもよい。
【００４２】
可動フード４とナット５は、連結（回転可能に嵌合）されていなくても良い。ナット５を軸方向に締めこむことで可動フード４が固定フード３側に接近するように作用すれば、分離した構成であってもよい。
【００４３】
また、グリップ部材２を筒状に形成して、リールシート本体１を該グリップ部材に挿入することでリールシート本体１にグリップ部材２が被覆するように構成しても良い。
【００４４】
【発明の効果】
以上ように、本発明に係るリールシートは、グリップ部材を可動フードが被る領域まで延設することにより、手で把持したときの耐滑性、ホールド性を向上させることができる。
【００４５】
また、可動フードが被る領域において、リール脚部の載置面及び該載置面と径方向で対向する領域にはグリップ部材を被覆せず、リールシート本体が露出するように構成することにより、可動フードががたつかずに安定するために、リールを安定した状態で装着することが可能となる。
【００４６】
さらに、リールシート本体とグリップ部材の当接面に嵌合手段を設けることにより、グリップ部材がリールシート本体より剥がれ難くなり、グリップ部材の剥離による使用感の劣化を防止することができる。
【００４７】
また、嵌合手段として互いに嵌合する突出部及び嵌合溝部に加え、互いに嵌合する嵌合孔及び突起を設けることにより、グリップ部材をさらに剥がれ難くすることができる。
【００４８】
本発明に係るリールシートが装着された釣竿は、従来の釣竿に比べて使用感や操作性を向上させることができる。
【図面の簡単な説明】
【図１】本発明の一実施形態にかかるリールシートを示す部分的に断面を設けた正面図であって、（イ）は小型のリール、（ロ）は大型のリールが、それぞれ装着された状態を示す。
【図２】同リールシートの平面図であって、可動フード及びナットを外した状態を示す。
【図３】同リールシートの可動フード及びナットを外した状態を示す斜視図。
【図４】（イ）は、図１のＡ−Ａ線断面図であり、同じく（ロ）はＢ−Ｂ線断面図。
【図５】同リールシート本体を示す部分正面図。
【図６】同リールシート本体の当接面近傍及びグリップ部材を示す部分斜視図。
【符号の説明】
１…リールシート本体、２…グリップ部材、３…固定フード、４…可動フード、５…ナット、１０…雄ネジ部、１１…硬質領域、１２…当接面、１３…突出部、１４…嵌合孔、１５…溝部、１６…縦溝、１７…載置面、１８…後端側終縁部、２０…グリップ本体、２１…延設部、２２…嵌合溝部、２３…突起、３０…凹部、４０…凹部、１００…リール脚部
【図１】
0003935753.tif 000002
【図２】
0003935753.tif 000003
【図３】
0003935753.tif 000004
【図４】
0003935753.tif 000005
【図５】
0003935753.tif 000006
【図６】
0003935753.tif 000007